(57)【要約】【課題】  旗振り人形を見る者に対して迅速に注意を喚起したり安全情報を伝えたりすることができる旗振り人形を提供する。【解決手段】  旗振り人形１は、人間に模した人形部２と、この人形部２の後方に配置されて旗４を揺動させて上記人形部２がこの旗４を振っているように見せかける旗振り部３と、人形部２の前方に配置されて文字を表示する表示器５とを備え、これらが一体に構成されたものである。【選択図】      図１
0003109170.tif 000002
【実用新案登録請求の範囲】
【請求項１】
人間に模した人形部と、旗を揺動させて上記人形部がこの旗を振っているように見せかける旗振り部とを備えた旗振り人形であって、文字を表示する表示器が一体に構成されていることを特徴とする旗振り人形。
【請求項２】
上記表示器は、複数の光源の点灯及び消滅により電気的に自由に文字を表示することが可能な表示器であることを特徴とする請求項１に記載の旗振り人形。
【請求項３】
上記人形部は、片手を頭上に翳した人間に模した形状に形成され、上記旗振り部は、上記人形部の後方に配置されて、当該人形部の頭部に対応する位置を中心として上記旗を揺動させるように構成されていることを特徴とする請求項１または２に記載の旗振り人形。
【請求項４】
上記人形部は、板状に形成されていることを特徴とする請求項１〜３のいずれか１項に記載の旗振り人形。
【請求項５】
上記人形部は、上半身と下半身とが分離可能に構成されていることを特徴とする請求項４に記載の旗振り人形。
【請求項６】
上記人形部の上半身は、下半身に対して上方に突出する状態と前後に重なる状態とにわたって移動可能に構成されていることを特徴とする請求項５に記載の旗振り人形。
【請求項７】
上記人形部の表面には、特定の容姿の人物が印刷されまたは描かれたシートが貼り付けられていることを特徴とする請求項４〜６のいずれか１項に記載の旗振り人形。
【請求項８】
上記旗振り部には、旗を支持する支持部が設けられているとともに、この支持部には、合図灯を含む他の物品を取付けることができるようにアタッチメントが設けられていることを特徴とする請求項１〜７のいずれか１項に記載の旗振り人形。
【考案の詳細な説明】
【技術分野】
【０００１】
本考案は、人が旗を振っているように見せかける旗振り人形に関するものである。
【背景技術】
【０００２】
従来、旗振り人形としては、例えば工事現場等の前方に設置されて交通誘導を行うものがよく知られている。この用途の旗振り人形は、人の代わりに旗を振ることにより、危険な場所に誘導員を配置することなく車両を誘導するためのものである。
【考案の開示】
【考案が解決しようとする課題】
【０００３】
しかしながら、この旗振り人形が旗を振るだけでは、車両を運転するドライバーにその旗振りが何を意図しているかが伝わらず、ドライバーはその先に設置されたＬＥＤの情報板や標識看板を見て始めてその旗振りの意味を認識するのが現状である。従って、その情報板や標識看板を見るまでは、ドライバーは車両の速度を落とす以外には何をしたらいいか分からず、不安にかられることがあった。
【０００４】
本考案は、このような事情に鑑み、旗振り人形を見る者に対して迅速に注意を喚起したり安全情報を伝えたりすることができる旗振り人形を提供することを目的とする。
【課題を解決するための手段】
【０００５】
請求項１に係る考案は、人間に模した人形部と、旗を揺動させて上記人形部がこの旗を振っているように見せかける旗振り部とを備えた旗振り人形であって、文字を表示する表示器が一体に構成されていることを特徴とするものである。
【０００６】
請求項２に係る考案は、請求項１に記載の旗振り人形において、上記表示器は、複数の光源の点灯及び消滅により電気的に自由に文字を表示することが可能な表示器であることを特徴とするものである。
【０００７】
請求項３に係る考案は、請求項１または２に記載の旗振り人形において、上記人形部は、片手を頭上に翳した人間に模した形状に形成され、上記旗振り部は、上記人形部の後方に配置されて、当該人形部の頭部に対応する位置を中心として上記旗を揺動させるように構成されていることを特徴とするものである。
【０００８】
請求項４に係る考案は、請求項１〜３のいずれか１項に記載の旗振り人形において、上記人形部は、板状に形成されていることを特徴とするものである。
【０００９】
請求項５に係る考案は、請求項４に記載の旗振り人形において、上記人形部は、上半身と下半身とが分離可能に構成されていることを特徴とするものである。
【００１０】
請求項６に係る考案は、請求項５に記載の旗振り人形において、上記人形部の上半身は、下半身に対して上方に突出する状態と前後に重なる状態とにわたって移動可能に構成されていることを特徴とするものである。
【００１１】
請求項７に係る考案は、請求項４〜６のいずれか１項に記載の旗振り人形において、上記人形部の表面には、特定の容姿の人物が印刷されまたは描かれたシートが貼り付けられていることを特徴とするものである。
【００１２】
請求項８に係る考案は、請求項１〜７のいずれか１項に記載の旗振り人形において、上記旗振り部には、旗を支持する支持部が設けられているとともに、この支持部には、合図灯を含む他の物品を取付けることができるようにアタッチメントが設けられていることを特徴とするものである。
【考案の効果】
【００１３】
請求項１に係る考案によれば、表示器を一体に構成したから、旗振り人形を見る者に対して迅速に注意を喚起したり安全情報を伝えたりすることができる。
【００１４】
請求項２に係る考案によれば、光源の点灯及び消滅のパターンを変えるだけで表示する文字を変更することができる。
【００１５】
請求項３に係る考案によれば、人形部が片手を頭上に翳した人間に模した形状に形成され、その頭部に旗の揺動中心が位置しているので、旗振り部に腕に模した部分を設けなくても旗振り部が旗のみを揺動させるだけで人形部がその旗を振っているように見せかけることができる。
【００１６】
請求項４に係る考案によれば、人形部が板状に形成されているので、立体的な形状にするよりも安価にすることができる。
【００１７】
請求項５に係る考案によれば、上半身と下半身を分離することによりコンパクトに収容できるとともに、搬送も容易に行うことができる。
【００１８】
請求項６に係る考案によれば、上半身を移動させるだけで設置状態とコンパクトに収容できる状態とを切り換えることができる。
【００１９】
請求項７に係る考案によれば、人形部の表面に貼り付けるシートを取り替えるだけで旗振り人形の用途を変えることができる。例えば、交通誘導員が印刷等されたシートを貼り付ければ交通誘導に使用することができ、ガソリンスタンド従業員が印刷等されたシートを貼り付ければガソリンスタンドへの呼び込みに使用することができる。
【００２０】
請求項８に係る考案によれば、アタッチメントによって合図灯等を容易に取付けて揺動させることができる。
【考案を実施するための最良の形態】
【００２１】
以下、本考案を実施するための最良の形態について、図面を参照しながら詳細に説明する。
【００２２】
図１に、本考案の一実施形態に係る交通誘導用の旗振り人形１を示す。この旗振り人形１は、人間に模した人形部２と、人形部２の後方に配置されて旗４を揺動させる旗振り部３と、人形部２の前方に配置されて文字を表示する表示器５と、架台６とを備え、これらが一体に構成されたものである。
【００２３】
上記架台６は、平面視略矩形状をなし、その四隅にはキャスター６ａが設けられていて、簡単に移動させることができるようになっている。
【００２４】
また、この架台６の左右両端部には、前後方向に延びるとともにその両端部が下方に屈曲して略コ字状をなすフレーム６ｂが設けられていて、これらのフレーム６ｂの一方（図例では左側のフレーム６ｂ）には、上記旗振り部３及び表示器５を操作するための操作箱７が取付けられている。
【００２５】
さらに、この架台６の略中央には、支柱６ｃが立設されており、この支柱６ｃに上記表示器５が取付けられている。
【００２６】
この表示器５は、上下方向に延びる長方形状をなし、その前面が文字を表示する表示面として構成されている。そして、この表示面には複数の光源が略同一平面上に並んで配設されており、これらの光源の点灯及び消滅により電気的に自由に文字を表示することができるようになっている。上記光源としてはＬＥＤ等が採用可能である。図例では、「工事中」の文字を縦書きで表示した状態を示している。そして、この表示器５は、上記操作箱７と配線によって接続されていて、操作箱７に設けられたスイッチが操作されることにより電源の入り切りが行われるようになっている。
【００２７】
上記人形部２は、正面視において片手（図例では右手）を頭上に翳した人間に模した形状に形成されているとともに、前後方向に扁平な板状に形成されている。この人形部２は、鋼板、木や樹脂の板、またはこれらを重ね合わせたもの等で構成することができる。なお、本実施形態では、この人形部２の左手部分は、手鏡状に形成されたライト９を持ち上げた形状に形成されている。
【００２８】
そして、この人形部２の表面には、交通誘導員が印刷されたシート８が貼り付けられている。このシート８は、紙やフィルム等で構成することができる。なお、シート８には交通誘導員を印刷せずに描いてもよい。
【００２９】
また、この人形部２は、上半身２ａと下半身２ｂとが分離可能に構成されている。そして、下半身２ｂは、上記架台６の支柱４ｃに固定されており、上半身２ａは、下半身２ｂに対して上方に突出する状態と、図２に示すように前後に重なる状態とにわたって移動可能になっている。
【００３０】
具体的には、上記上半身２ａは、人形部２の後方で架台６に立設された左右一対のスライドレール１０（図３参照）によって上下動可能に支持され、上端部に位置したときに下半身２ｂに対して上方に突出する状態、すなわち設置状態となり、逆に下端部に位置したときに下半身２ｂに対して前後に重なる状態となるように構成されている。そして、上半身２ａと下半身２ｂとが前後に重なる状態となったときには、人形部２の高さが低くなるので、コンパクトに収容できるとともに、搬送も容易に行うことができるようになる。
【００３１】
また、図３に示すように、この上半身２ａの裏面に上記旗振り部３が配設されている。この旗振り部３は、旗４を揺動させることにより、人形部２がこの旗４を振っているように見せかけるためのものである。
【００３２】
この旗振り部３は、旗４を着脱可能に支持する支持部３ａと、この支持部３ａを揺動させる駆動部３ｃとを有している。そして、この駆動部３ｃが、上記人形部２の上半身２ａの裏面に固定されている。
【００３３】
上記駆動部３ｃは、上記支持部３ａを左右方向に揺動させるものであり、その揺動中心は、人形部２の頭部に対応する位置に設定されている。また、駆動部３ｃは、モータ等からなり、上記操作箱７と配線によって接続されていて、操作箱７に当該駆動部３ｃの電源の入り切りを行うスイッチが設けられている。そして、操作箱７のスイッチが操作されて駆動部３ｃの電源が入れられると、駆動部３ｃが支持部３ａを揺動させ、これにより支持部３ａに支持された旗４が人形部２の頭部の上方で左右に揺動するようになっている。
【００３４】
上記支持部３ａには、アタッチメント３ｂが設けられており、合図灯を含む他の物品を取付けることができるようになっている。例えば、夜間には、旗４を支持部３ａから取外し、アタッチメント３ｂに合図灯を取付ければ、旗振り人形１に合図灯を振らせることができ、夜間においても車両を運転するドライバーに注意を喚起することができるようになる。
【００３５】
以上説明したように、本実施形態の旗振り人形１では、表示器５を一体に構成したから、車両を運転するドライバーは旗振り人形１を見ると同時に表示器５も見ることができるため、当該ドライバーに対して迅速に注意を喚起したり安全情報を伝えたりすることができる。
【００３６】
また、表示器５は、複数の光源の点灯及び消滅により電気的に自由に文字を表示することが可能なものであるので、光源の点灯及び消滅のパターンを変えるだけで表示する文字を変更することができる。
【００３７】
さらには、人形部２が片手を頭上に翳した人間に模した形状に形成され、その頭部に旗４の揺動中心が位置しているので、旗振り部３に腕に模した部分を設けなくても旗振り部３が旗４のみを揺動させるだけで人形部２がその旗４を振っているように見せかけることができる。
【００３８】
また、人形部２の上半身２ａが設置状態とコンパクトに収容できる状態とにわたって移動可能に構成されているので、上半身２ａを移動させるだけでそれらの状態を切り換えることができる。
【００３９】
さらには、旗振り部３の支持部３ａには合図灯を含む他の物品を取付けることができるアタッチメント２ｃが設けられているので、合図灯等を容易に取付けて揺動させることができる。
【００４０】
なお、上記実施形態では、人形部２の表面に交通誘導員が印刷等されたシート８が貼り付けられた形態を示したが、シート８に印刷等される人物は交通誘導員に限定されず、例えばガソリンスタンド従業員等であってもよい。このようにすれば、旗振り人形１をガソリンスタンドへの呼び込みに使用することができる等、人形部２の表面に貼り付けるシート８を取り替えるだけで旗振り人形１の用途を変えることができる。
【００４１】
また、上記実施形態では、上半身２ａがスライドレール１０によって上下動可能に支持されている形態を示したが、上半身２ａを下半身２ｂにヒンジを介して揺動可能に支持させるようにしても、上半身２ａを下半身２ｂに対して上方に突出する状態と前後に重なる状態とにわたって移動可能に構成することができる。
【００４２】
さらに、人形部２は立体的な形状としてもよい。ただし、上記実施形態のように人形部２を板状に形成すれば、立体的な形状にするよりも安価にすることができる。
【図面の簡単な説明】
【００４３】
【図１】本考案の一実施形態に係る旗振り人形の斜視図である。
【図２】上記旗振り人形の人形部の上半身と下半身とが前後に重なった状態を示す斜視図である。
【図３】上記旗振り人形の人形部における上半身の背面図である。
【符号の説明】
【００４４】
１  旗振り人形
２  人形部
２ａ  上半身
２ｂ  下半身
３  旗振り部
３ａ  支持部
３ｂ  アタッチメント
４  旗
５  表示器
６  架台
７  操作箱
８  シート
【図１】
0003109170.tif 000003
【図２】
0003109170.tif 000004
【図３】
0003109170.tif 000005